(57)【要約】【課題】電力ケーブルにおける絶縁劣化位置の推定精度を高める。【解決手段】絶縁体により隔てられた第１導体と第２導体とを有する電力ケーブルの絶縁劣化位置推定方法であって、一方の導体の端部に電圧を印加するステップと、電圧に起因して絶縁劣化位置で発生し、他方の導体の両端部方向に伝搬した放電性電流をそれぞれ検出し、特定周波数を抽出する狭帯域バンドパスフィルタを介して波形表示装置に取り込んで表示させるステップと、波形表示装置に表示される２つの概正弦波形の特徴点の時間ずれを測定するステップと、測定された時間ずれに基づいて、電力ケーブルの絶縁劣化位置を推定するステップとを有する。【選択図】図１
2017181148.tif 000002
【特許請求の範囲】
【請求項１】
絶縁体により隔てられた第１導体と第２導体とを有する電力ケーブルの絶縁劣化位置推定方法であって、
一方の導体の端部に電圧を印加するステップと、
前記電圧に起因して絶縁劣化位置で発生し、他方の導体の両端部方向に伝搬した放電性電流をそれぞれ検出し、特定周波数を抽出する狭帯域バンドパスフィルタを介して波形表示装置に取り込んで表示させるステップと、
前記波形表示装置に表示される２つの概正弦波形の特徴点の時間ずれを測定するステップと、
前記測定された時間ずれに基づいて、前記電力ケーブルの絶縁劣化位置を推定するステップと、
を有することを特徴とする絶縁劣化位置推定方法。
【請求項２】
前記電圧を印加するステップに先立ち、
前記電力ケーブルの亘長に基づいて、前記狭帯域バンドパスフィルタの中心周波数を複数の候補から選択するステップをさらに有することを特徴とする請求項１に記載の絶縁劣化位置推定方法。
【請求項３】
前記選択するステップは、
前記電力ケーブルの亘長に基づいて前記放電性電流の最大伝搬行路差を求め、
最大伝搬行路差の場合における前記２つの概正弦波形の前記波形表示装置への到達時間差が１周期を超えない条件を満たす周波数候補を中心周波数として選択することを特徴とする請求項２に記載の絶縁劣化位置推定方法。
【請求項４】
前記条件を満たす周波数候補のうち、最も高い周波数を中心周波数として選択することを特徴とする請求項３に記載の絶縁劣化位置推定方法。
【請求項５】
前記概正弦波の特徴点は、ゼロクロス点であることを特徴とする請求項１〜４のいずれか１項に記載の絶縁劣化位置推定方法。
【請求項６】
絶縁体により隔てられた第１導体と第２導体とを有する電力ケーブルの絶縁劣化位置推定を支援する絶縁劣化位置推定システムであって、
一方の導体の端部に電圧を印加する電圧印加部と、
絶縁劣化位置で発生し、他方の導体の電圧印加側端部方向に伝搬した放電性電流を検出し、狭帯域バンドパスフィルタを用いて特定周波数の概正弦波形を抽出する第１電流検出部と、
絶縁劣化位置で発生し、他方の導体の他端部方向に伝搬した放電性電流を検出し、狭帯域バンドパスフィルタを用いて特定周波数の概正弦波形を抽出する第２電流検出部と、
前記第１電流検出部が抽出した概正弦波形と前記第２電流検出部が抽出した概正弦波形とを取り込んで同一画面に表示する波形表示装置と、
を備えることを特徴とする絶縁劣化位置推定システム。
【請求項７】
前記狭帯域バンドパスフィルタは、セラミックフィルタ、または、表面弾性波フィルタにより構成されていることを特徴とする請求項６に記載の絶縁劣化位置推定システム。
【発明の詳細な説明】
【技術分野】
【０００１】
本発明は、電力ケーブルにおける絶縁劣化位置を精度よく推定する技術に関する。
【背景技術】
【０００２】
屋内外配線用の電力ケーブルとしてＣＶケーブルが広く用いられている。ＣＶケーブルは、布設および保安管理が容易である一方、絶縁体として用いられている架橋ポリエチレンに水トリーと呼ばれる特有の劣化現象が発生することが知られている。水トリーは、絶縁体に付着した微量の水分等が経時変化により絶縁体内に浸透する現象であり、電力ケーブルの絶縁性能を大きく低下させ絶縁破壊事故の原因となる。
【０００３】
電力ケーブルの絶縁劣化に起因する事故を未然に防止するためには、布設された電力ケーブルを診断し、絶縁劣化が検出された電力ケーブルを取り替えることが必要である。絶縁劣化が検出された電力ケーブルを取り替える際に、全長に亘って取り替えるとすると、多大な時間とコストを要することから、絶縁劣化が生じている位置を推定し、不良箇所のみを取り替えることが好ましい。
【０００４】
このため、従来から電力ケーブルの絶縁劣化位置を推定する手法が提案されている。図７は、従来提案されている電力ケーブルの絶縁劣化位置推定手法の一例を示す図である。本図の例では、亘長Ｌの電力ケーブル２００において、一方の端部からＸの位置で水トリーによる絶縁劣化が生じているものとする。ここで、電力ケーブル２００は、内部導体２０１、内部導体２０１を囲う絶縁体２０２、絶縁体２０２を囲う外部導体２０３、外部導体２０３を囲う保護被膜２０４で構成されているものとする。
【０００５】
水トリーが存在する電力ケーブル２００の内部導体２０１に高電圧を印加すると、水トリー発生位置から「キック」と呼ばれる放電が頻繁に発生することが知られている。キックによるパルス状の放電性電流は、外部導体２０３を課電端側（電路１）および遠端側（電路２）に分流して伝搬する。
【０００６】
それぞれの放電性電流を検出抵抗３２０ａ、３２０ｂで検出し、デジタルオシロスコープ３３０で両波形を取り込むと、電路１と電路２との距離差によってキック波形の到達時間に差が生じる。
【０００７】
デジタルオシロスコープ３３０で両波形の立ち上がりタイミングを観察することで到達時間差Δｔを測定することができ、ケーブル亘長Ｌと電力ケーブル２００における電流の伝搬速度ｖは既知であるため、
Ｘ＝（Ｌ−ｖΔｔ）／２
により絶縁劣化位置Ｘを求めることができる。
【先行技術文献】
【特許文献】
【０００８】
【特許文献１】特開２０１３−３６８３９号公報
【発明の概要】
【発明が解決しようとする課題】
【０００９】
キック波形の周波数スペクトルは、１００ＭＨｚ以上まで拡がっているが、一般に、電力ケーブルを伝搬するパルスは、高周波成分ほど減衰しやすいことから、伝搬行路が長くなるほど波形の立ち上がりが緩やかになり、不明瞭になる。さらに、電路１、電路２の伝搬行路差が大きい場合には、周波数毎の減衰量に差が生じ、課電側端で観察される波形と遠端側で観察される波形とで相似性が失われてしまう。
【００１０】
このため、両波形の立ち上がりタイミングを比較する到達時間差Δｔの測定は、立ち上がりタイミングの認定が曖昧となり、誤差が拡大しやすいことから、絶縁劣化位置推定の精度が低下するおそれがある。
【００１１】
そこで、本発明は、電力ケーブルにおける絶縁劣化位置の推定精度を高めることを目的とする。
【課題を解決するための手段】
【００１２】
上記課題を解決するため、本発明の第１の態様である絶縁劣化位置推定方法は、絶縁体により隔てられた第１導体と第２導体とを有する電力ケーブルの絶縁劣化位置推定方法であって、一方の導体の端部に電圧を印加するステップと、前記電圧に起因して絶縁劣化位置で発生し、他方の導体の両端部方向に伝搬した放電性電流をそれぞれ検出し、特定周波数を抽出する狭帯域バンドパスフィルタを介して波形表示装置に取り込んで表示させるステップと、前記波形表示装置に表示される２つの概正弦波形の特徴点の時間ずれを測定するステップと、前記測定された時間ずれに基づいて、前記電力ケーブルの絶縁劣化位置を推定するステップと、を有することを特徴とする。
ここで、前記電圧を印加するステップに先立ち、前記電力ケーブルの亘長に基づいて、前記狭帯域バンドパスフィルタの中心周波数を複数の候補から選択するステップをさらに有してもよい。
前記選択するステップは、前記電力ケーブルの亘長に基づいて前記放電性電流の最大伝搬行路差を求め、最大伝搬行路差の場合における前記２つの概正弦波形の前記波形表示装置への到達時間差が１周期を超えない条件を満たす周波数候補を中心周波数として選択することとすることができる。
このとき、前記条件を満たす周波数候補のうち、最も高い周波数を中心周波数として選択することができる。
いずれの場合も、前記概正弦波の特徴点は、ゼロクロス点とすることができる。
上記課題を解決するため、本発明の第２の態様である絶縁劣化位置推定システムは、絶縁体により隔てられた第１導体と第２導体とを有する電力ケーブルの絶縁劣化位置推定を支援する絶縁劣化位置推定システムであって、一方の導体の端部に電圧を印加する電圧印加部と、絶縁劣化位置で発生し、他方の導体の電圧印加側端部方向に伝搬した放電性電流を検出し、狭帯域バンドパスフィルタを用いて特定周波数の概正弦波形を抽出する第１電流検出部と、絶縁劣化位置で発生し、他方の導体の他端部方向に伝搬した放電性電流を検出し、狭帯域バンドパスフィルタを用いて特定周波数の概正弦波形を抽出する第２電流検出部と、前記第１電流検出部が抽出した概正弦波形と前記第２電流検出部が抽出した概正弦波形とを取り込んで同一画面に表示する波形表示装置とを備えることを特徴とする。
前記狭帯域バンドパスフィルタは、例えば、セラミックフィルタ、または、表面弾性波フィルタにより構成することができる。
【発明の効果】
【００１３】
本発明によれば、キック波形を特定周波数の概正弦波信号に成形し、概正弦波形の特徴点の時間差を測定するため、キック波形の原波形の立ち上がりタイミングを判定する必要が無くなる。概正弦波形では、特徴点を明確に認定することができるため、到達時間差測定の際の誤差を低減でき、電力ケーブルにおける絶縁劣化位置の推定精度を高めることができる。
【図面の簡単な説明】
【００１４】
【図１】本実施形態に係る電力ケーブル絶縁劣化位置推定システムの構成を示す図である。
【図２】実フィールドにおける電力ケーブル絶縁劣化位置推定システムの構成例を示す図である。
【図３】デジタルオシロスコープで観測される波形を説明する図である。
【図４】本実施形態における絶縁劣化位置推定手順について説明するフローチャートである。
【図５】中心周波数設定処理を説明するフローチャートである。
【図６】本実施形態に係る電力ケーブル絶縁劣化位置推定システムの別構成を示す図である。
【図７】従来提案されている電力ケーブルの絶縁劣化位置推定手法の一例を示す図である。
【発明を実施するための形態】
【００１５】
本発明の実施形態について図面を参照して詳細に説明する。図１は、本実施形態に係る電力ケーブル絶縁劣化位置推定システム１００の構成を示す図である。本例においても、検査対象の電力ケーブル２００は、内部導体２０１、絶縁体２０２、外部導体２０３、保護被膜２０４で構成されているものとし、亘長Ｌの電力ケーブル２００において、一方の端部からＸの位置で水トリーによる絶縁劣化が生じているものとする。
【００１６】
電力ケーブル２００は、例えば、ＣＶケーブルとするが、異なる導体を絶縁体で隔てている電力ケーブルであれば検査対象として用いることができる。また、絶縁劣化は水トリーに限られず、高電圧印加により劣化箇所で部分放電が発生する絶縁不良であれば位置を推定することができる。
【００１７】
電力ケーブル絶縁劣化位置推定システム１００は、高電圧印加部１１０、第１電流検出部１２０、第２電流検出部１３０、デジタルオシロスコープ１４０、ブロッキングコイル１５０を備えている。
【００１８】
高電圧印加部１１０は、電力ケーブル２００の一方の端部の内部導体２０１に接続され、直流高電圧を印加する。電力ケーブル２００において、直流高電圧が印加される側を課電端側と称し、反対側を遠端側と称する。
【００１９】
第１電流検出部１２０は、外部導体２０３の課電端側から流れる電流を検出する回路であり、検出抵抗１２１、アンプ１２２、狭帯域バンドパス（ＢＰ）フィルタ１２３を備えている。検出抵抗１２１で生じた電圧はアンプ１２２で増幅され、狭帯域バンドパスフィルタ１２３で濾波されて、デジタルオシロスコープ１４０の第１チャネル（Ｃｈ１）に入力される。
【００２０】
第２電流検出部１３０は、外部導体２０３の遠端側から流れる電流を検出する回路であり、検出抵抗１３１、アンプ１３２、狭帯域バンドパス（ＢＰ）フィルタ１３３を備えている。アンプ１３２、狭帯域バンドパスフィルタ１３３の特性は、第１電流検出部１２０のアンプ１２２、狭帯域バンドパスフィルタ１２３の特性と等しくする。検出抵抗１３１で生じた電圧はアンプ１３２で増幅され、狭帯域バンドパスフィルタ１３３で濾波されて、デジタルオシロスコープ１４０の第２チャネル（Ｃｈ２）に入力される。
【００２１】
デジタルオシロスコープ１４０は、ストレージ機能を有する波形表示装置であり、第１チャネル、第２チャネルから入力した波形を同画面に重ねて表示し、拡大縮小観察可能となっている。デジタルオシロスコープ１４０は、波形取り込み装置、表示装置等の複数の装置で構成してもよい。
【００２２】
ブロッキングコイル１５０は、検出抵抗１２１および検出抵抗１３１と接地線との間に接続され、接地線から混入するコモンモードノイズを低減するために用いられている。
【００２３】
本図の例では、説明を簡単にするため、外部導体２０３の課電端側からデジタルオシロスコープ１４０までの電気長と、外部導体２０３の遠端側からデジタルオシロスコープ１４０までの電気長とが等しくなるように配線を行なっている。このため、第１電流検出部１２０と第２電流検出部１３０とにおけるキック波形の到達時間差Δｔが得られると、
Ｘ＝（Ｌ−ｖΔｔ）／２  （式１）
により、絶縁劣化位置Ｘを推定することができる。
【００２４】
実フィールドにおいては、他の健全なケーブル２５０の導体部を利用して遠端部のキック波形を課電端側に伝搬させて、課電端側に配置されたデジタルオシロスコープ１４０で測定を行なうことになる。この場合、他のケーブル２５０の亘長をＬｃとすると、
Ｘ＝（Ｌ＋Ｌｃ−ｖΔｔ）／２  （式２）
により、絶縁劣化位置Ｘを推定することができる。他のケーブル２５０は、電力ケーブル２００が３相ケーブルを構成している場合は、他の相の電力ケーブルの内部導体あるいは外部導体を用いることができる。この場合、Ｌ＋Ｌｃ＝２Ｌとすることができる。
【００２５】
図１の説明に戻って、狭帯域バンドパスフィルタ１２３、狭帯域バンドパスフィルタ１３３は、キック波形から特定の周波数を抽出し、キック波形をほぼ単一周波数の正弦波バースト信号に成形する。このため、狭帯域バンドパスフィルタ１２３、狭帯域バンドパスフィルタ１３３は、尖鋭度Ｑの非常に高いフィルタを選択する。
【００２６】
尖鋭度Ｑの非常に高いフィルタは、セラミックフィルタ、表面弾性波フィルタ（ＳＡＷフィルタ：Surface Acoustic Wave filter）等を用いて実現することができる。例えば、汎用的な中心周波数４５５ｋＨｚのセラミックフィルタを用いることができる。ただし、後述するように、中心周波数の異なる複数種のセラミックフィルタを用意しておき、電力ケーブル２００の亘長Ｌに基づく到達時間差Δｔの最大値に応じて選択することが望ましい。
【００２７】
図３は、キック発生の際に、狭帯域バンドパスフィルタ１２３、狭帯域バンドパスフィルタ１３３を通過して、デジタルオシロスコープ１４０で観測される波形の例を示している。課電端側のＣｈ１波形と遠端側のＣｈ２波形とを同じ時間軸上に重畳して表示しており、図３（ａ）は、略全体図、図３（ｂ）は区間Ａの拡大図である。パルス状の信号が入力された場合、セラミックフィルタの出力波形は、図３（ａ）に示すように正弦波の包絡線が穏やかな紡錘型を描く。
【００２８】
Ｃｈ１の波形とＣｈ２の波形の位相差は、課電端側の波形と遠端側の波形との到達時間差を表すことになる。このため、図３（ｂ）に示すように、Ｃｈ１の波形とＣｈ２の波形の特徴点、例えば、ゼロクロス点の時間ずれを読み取ることで到達時間差Δｔを測定することができる。すなわち、到達時間差Δｔの測定に際して、キック波形の原波形の立ち上がりタイミングを判定する必要が無くなる。
【００２９】
Ｃｈ１の波形とＣｈ２の波形は、狭帯域バンドパスフィルタ１２３、狭帯域バンドパスフィルタ１３３により、概正弦波と見なすことができるため、明確にゼロクロス点を認定することができる。このため、到達時間差Δｔ測定の誤差を低減でき、絶縁劣化位置推定の精度を高めることができる。逆いえば、狭帯域バンドパスフィルタ１２３、狭帯域バンドパスフィルタ１３３は、明確にゼロクロス点を認定できる程度の概正弦波を抽出可能な尖鋭度Ｑを有するものを用いるものとする。
【００３０】
なお、到達時間差Δｔを測定する特徴点は、負から正へのゼロクロス点に限られない。例えば、正から負へのゼロクロス点としたり、極大点、極小点等としてもよい。また、両波形とも同じ単一周波数の正弦波と見なせるため、時間差測定に用いる区間は、任意に定めることができるが、区間Ａのように、振幅が大きい部分の方が、ＳＮ比的に有利である。
【００３１】
次に、本実施形態における絶縁劣化位置推定手順について図４のフローチャートを参照して説明する。ここでは、狭帯域バンドパスフィルタ１２３、狭帯域バンドパスフィルタ１３３として、中心周波数が異なる複数種類のセラミックフィルタが用意されている場合を例とする。中心周波数が異なる複数種類のセラミックフィルタを用意せず、セラミックフィルタの選択を行なわない場合は、処理（Ｓ１２）は省くことができる。
【００３２】
まず、検査対象の電力ケーブル２００の特性を取得する（Ｓ１１）。取得する特性は、亘長Ｌと伝搬速度ｖが含まれるものとする。図２に示すように、他のケーブル２５０を用いて遠端側から課電端側へのキック波形の伝搬を行なう場合には、他のケーブル２５０の亘長Ｌｃも取得する。伝搬速度ｖは、一般に、電力ケーブル２００の種類により特定することができる。
【００３３】
そして、狭帯域バンドパスフィルタ１２３、狭帯域バンドパスフィルタ１３３として用いるセラミックフィルタの中心周波数を設定する（Ｓ１２）。ここで、中心周波数の設定処理（Ｓ１２）について詳細に説明する。図３（ｂ）の拡大波形図において、Ｃｈ１の波形とＣｈ２の波形の位相差が２π以上であると、ゼロクロス点のずれに基づいて読み取った時間差と実際の到達時間差Δｔとが一致しなくなり、波形周期の整数倍の誤差が生じる。
【００３４】
電力ケーブル２００において、到達時間差Δｔが最も大きくなるのは、課電端側キック波形と遠端側キック波形との伝搬行路差が最大となる場合である。最大伝搬行路差をＤＬｍａｘとすると、図１の場合は、電力ケーブル２００のいずれかの端部でキックが発生した場合に、最大伝搬行路差ＤＬｍａｘ＝Ｌとなる。また、図２の場合は、電力ケーブル２００の課電端部でキックが発生した場合に、最大伝搬行路差ＤＬｍａｘ＝Ｌ＋Ｌ１となる。
【００３５】
Ｃｈ１の波形とＣｈ２の波形の位相差が２π以上にならないようにするためには、最大伝搬行路差ＤＬｍａｘの場合にも、最大到達時間差（＝最大伝搬行路差ＤＬｍａｘ／伝搬速度ｖ）が１周期（＝１／ｆ）を超えない周波数ｆを中心周波数ｆ０として設定すればよいことになる。
【００３６】
すなわち、
ｆ＜ｖ／ＤＬｍａｘ
を満たす周波数ｆを中心周波数ｆ０として設定すればよい。
【００３７】
例えば、簡単のため、図２においてＬｃ＝Ｌとして、最大伝搬行路差ＤＬｍａｘ＝２Ｌとすると、４５５ｋＨｚのセラミックフィルタを用いた場合は、亘長１９８ｍ未満の電力ケーブル２００であれば、位相差が２π未満となる。なお、キックの伝搬速度を１．８０×１０８ｍ／ｓとしている。また、４５ｋＨｚのセラミックフィルタを用いた場合には、亘長２ｋｍ未満の電力ケーブル２００であれば、位相差が２π未満となる。
【００３８】
このように、セラミックフィルタの中心周波数を低くすることで、より長い亘長の電力ケーブル２００に対応することができるようになる。
【００３９】
一方で、セラミックフィルタの中心周波数を低くすると、抽出される波長が長くなり、波形が時間軸方向に引き延ばされることから、測定時間を長くしなければならない。デジタルオシロスコープ１４０のサンプリング周期がそのままであるとデータ量が過大となるため、サンプリング周期を長くして測定分解能を落とす必要があり、推定位置の範囲（位置分解能）が粗くなることになる。このため、測定分解能の観点からは、セラミックフィルタの中心周波数は高い方が好ましい。
【００４０】
そこで、本実施形態では、図５のフローチャートに示すような手順で中心周波数を設定する。まず、処理（Ｓ１１）で取得した最大伝搬行路差ＤＬｍａｘと伝搬速度ｖとから位相差が２πとなる周波数ｆを算出する（Ｓ１２１）。最大伝搬行路差ＤＬｍａｘは、図１の場合には亘長Ｌ、図２の場合には亘長Ｌ＋亘長Ｌ１で算出することができ、周波数ｆは、ｆ＝ｖ／ＤＬｍａｘにより算出することができる。
【００４１】
そして、中心周波数が異なる複数種類のセラミックフィルタのうち、中心周波数が、算出された周波数ｆ以下で、最大のセラミックフィルタを選択する（Ｓ１２２）。これにより、Ｃｈ１の波形とＣｈ２の波形の位相差が２π以上になるのを防ぎつつ、なるべく高い測定分解能で絶縁劣化位置の推定を行なうことができる。ただし、周辺環境等により、特定の周波数帯のノイズ成分が混入することが明らかである場合には、その周波数帯を中心周波数とすることは避けるようにする。
【００４２】
なお、位相差が２π以上の場合により生じる到達時間差Δｔの誤差は、上述のように波形周期の整数倍となることから、セラミックフィルタ中心周波数を選択しない場合でも、複数位置を候補とした絶縁劣化位置の推定が可能である。
【００４３】
図４のフローチャートの説明に戻って、セラミックフィルタの中心周波数を設定すると（Ｓ１２）、設定されたセラミックフィルタを狭帯域バンドパスフィルタ１２３、狭帯域バンドパスフィルタ１３３として用いて、高電圧印加部１１０から電力ケーブル２００の外部導体２０３に直流高電圧を印加する（Ｓ１３）。これにより、水トリー等の絶縁劣化部分でキック現象が発生する。
【００４４】
発生したキック波形は、電力ケーブル２００の外部導体２０３を両端部方向に伝搬し、第１電流検出部１２０、第２電流検出部１３０で検出され、デジタルオシロスコープ１４０に取り込まれて、画面に表示される（Ｓ１４）。なお、本例では、内部導体２０１に直流高電圧を印加し、外部導体２０３がキック電流を伝搬するようにしていたが、外部導体２０３に直流高電圧を印加し、内部導体２０１がキック電流を伝搬するようにしてもよい。
【００４５】
そして、測定者が表示された波形を拡大観察して、到達時間差Δｔを測定し（Ｓ１５）、上述の（式１）あるいは（式２）にしたがって、絶縁劣化位置Ｘを推定する（Ｓ１６）。デジタルオシロスコープ１４０に、両波形のゼロクロス点を自動認識し、到達時間差Δｔを測定し、絶縁劣化位置Ｘを算出する機能を付加してもよい。
【００４６】
以上、本発明の実施形態について説明したが、本発明は、これらの実施形態に限られず、種々の変形を行なうことができる。例えば、図１に示した例では、それぞれの電流検出部を検出抵抗、アンプ、狭帯域バンドパスフィルタで構成していたが、図６に示すように、第１電流検出部１２０を、検出抵抗１２１、プリアンプ１２４、狭帯域バンドパスフィルタ１２５、メインアンプ１２６、狭帯域バンドパスフィルタ１２７で構成し、第２電流検出部１３０を、検出抵抗１３１、プリアンプ１３４、狭帯域バンドパスフィルタ１３５、メインアンプ１３６、狭帯域バンドパスフィルタ１３７で構成してもよい。ここで、後段に配置された狭帯域バンドパスフィルタ１２７、狭帯域バンドパスフィルタ１３７は、主として内部雑音低減のために用いている。
【００４７】
この場合、狭帯域バンドパスフィルタ１２５、狭帯域バンドパスフィルタ１２７、狭帯域バンドパスフィルタ１３５、狭帯域バンドパスフィルタ１３７は、すべて同一の特性とする。また、増幅時に両波形の位相がずれないように、プリアンプ１２４とプリアンプ１３４の特性を同一にし、メインアンプ１２６とメインアンプ１３６の特性を同一にする。
【符号の説明】
【００４８】
１００…電力ケーブル絶縁劣化位置推定システム
１１０…高電圧印加部
１２０…第１電流検出部
１２１…検出抵抗
１２２…アンプ
１２３…狭帯域バンドパスフィルタ
１２４…プリアンプ
１２５…狭帯域バンドパスフィルタ
１２６…メインアンプ
１２７…狭帯域バンドパスフィルタ
１３０…第２電流検出部
１３１…検出抵抗
１３２…アンプ
１３３…狭帯域バンドパスフィルタ
１３４…プリアンプ
１３５…狭帯域バンドパスフィルタ
１３６…メインアンプ
１３７…狭帯域バンドパスフィルタ
１４０…デジタルオシロスコープ
１５０…ブロッキングコイル
２００…電力ケーブル
２０１…内部導体
２０２…絶縁体
２０３…外部導体
２０４…保護被膜
【図１】
2017181148.tif 000003
【図２】
2017181148.tif 000004
【図３】
2017181148.tif 000005
【図４】
2017181148.tif 000006
【図５】
2017181148.tif 000007
【図６】
2017181148.tif 000008
【図７】
2017181148.tif 000009